(57)【要約】【課題】  押ボタンスイッチのプッシュ動作を円滑でかつ快適にすることができる押ボタンスイッチを提供する。【解決手段】  ケース１とプランジャ６間に丸ピン３を配置し、この丸ピン３をレールとしてケース１に対するプランジャ６の移動をガイドさせるので、ガサガサ、シブシブ感がなく、しかも、ケース１とプランジャ６との間のギャップによるプランジャ６のガタつきが抑えられる。したがって、滑らかな操作感を生み出すことができる。【選択図】図１
2005093254.tif 000002
【特許請求の範囲】
【請求項１】
ケースとプランジャ間に丸ピンを配置し、該丸ピンをレールとして前記ケース
に対する前記プランジャの移動をガイドさせ、滑らかな操作感を生み出すことを
特徴とする押ボタンスイッチ。
【請求項２】
請求項１記載の押ボタンスイッチにおいて、前記ケースの内壁及びプランジャ
の外壁の縦方向にそれぞれ係合溝を有し、該係合溝に前記丸ピンを遊嵌すること
を特徴とする押ボタンスイッチ。
【請求項３】
請求項２記載の押ボタンスイッチにおいて、前記係合溝を前記ケースの内壁の
高さ全てに形成し、前記丸ピンの長さを前記内壁の高さより僅かに短い寸法とす
ることを特徴とする押ボタンスイッチ。
【請求項４】
請求項１、２又は３記載の押ボタンスイッチにおいて、前記丸ピンは、機械的
強度が大で、摩擦係数が小の部材からなることを特徴とする押ボタンスイッチ。
【請求項５】
請求項１、２、３又は４記載の押ボタンスイッチにおいて、前記ケースとプラ
ンジャは、水平方向の断面が四角形状であり、前記丸ピンを前記四角形状のケー
スとプランジャの四隅又はその近傍にそれぞれ配置することを特徴とする押ボタ
ンスイッチ。
【発明の詳細な説明】
【技術分野】
【０００１】
本発明は、押ボタンスイッチに係り、特に、頻繁に操作される自動復帰型の押
ボタンスイッチのプッシュ動作を円滑にする機構に関するものである。
【背景技術】
【０００２】
従来の自動復帰型の押ボタンスイッチは、繊維強化ＰＢＴ等からなるケースに
直接ポリアセタール等のプランジャを摺動させるような構造となっている。
【特許文献１】なし
【発明の開示】
【発明が解決しようとする課題】
【０００３】
上記したように、滑り特性の良いポリアセタール等のプランジャを使っても、
ガラス繊維の入った樹脂からなるケースと擦り合わせるため、比喩すれば、紙ヤ
スリ（ガラス繊維のケース）の上でプランジャを滑らせているのと同様であり、
ガサガサ、シブシブ感を惹起することになる。また、プランジャのガタつきが生
じる。特に、頻繁に操作される押ボタンスイッチにおいては、そのプッシュ動作
時の不快な感触が問題となってきている。
【０００４】
本発明は、上記状況に鑑みて、操作時のガサガサ、シブシブ感及びプランジャ
のガタつきを抑え、押ボタンスイッチのプッシュ動作を円滑かつ快適にすること
ができる押ボタンスイッチを提供することを目的とする。
【課題を解決するための手段】
【０００５】
本発明は、上記目的を達成するために、
〔１〕押ボタンスイッチにおいて、ケースとプランジャ間に丸ピンを配置し、
この丸ピンをレールとして前記ケースに対する前記プランジャの移動をガイドさ
せ、滑らかな操作感を生み出すことを特徴とする。
【０００６】
〔２〕上記〔１〕記載の押ボタンスイッチにおいて、前記ケースの内壁及びプ
ランジャの外壁の縦方向にそれぞれ係合溝を有し、この係合溝に前記丸ピンを遊
嵌することを特徴とする。
【０００７】
〔３〕上記〔２〕記載の押ボタンスイッチにおいて、前記係合溝を前記ケース
の内壁の高さ全てに形成し、前記丸ピンの長さを前記内壁の高さより僅かに短い
寸法とすることを特徴とする。
【０００８】
〔４〕上記〔１〕、〔２〕又は〔３〕記載の押ボタンスイッチにおいて、前記
丸ピンは、機械的強度が大で、摩擦係数が小の部材からなることを特徴とする。
【０００９】
〔５〕上記〔１〕、〔２〕、〔３〕又は〔４〕記載の押ボタンスイッチにおい
て、前記ケースとプランジャは、水平方向の断面が四角形状であり、前記丸ピン
を前記四角形状のケースとプランジャの四隅又はその近傍にそれぞれ配置するこ
とを特徴とする。
【発明の効果】
【００１０】
本発明によれば、押ボタンスイッチにおいて、最も重視される操作性を向上さ
せ、操作時のガサガサ、シブシブ感及びプランジャのガタつきを抑え、押ボタン
スイッチのプッシュ動作を円滑かつ快適にすることができる。
【００１１】
丸ピンはケースの内壁及びプランジャの外壁にそれぞれ形成される係合溝に係
合させることができ、機械的強度が大で、摩擦係数が小の部材、例えば、ステン
レス等の金属又はナノコンポジットナイロンを用いることにより、長寿命で円滑
な動作を行わせることができる。
【００１２】
丸ピンの配置は、ケースとプランジャの水平方向の断面が四角形状である場合
には、各部品のソリ・歪みの影響が出にくい四隅又はその近傍に配置するのが望
ましい。また、丸ピンの形状を有することで、摺動接触面積を小さくし、かつ嵌
合寸法もゼロ近くまで抑えることができ、更に、プランジャのガタつきも小さく
抑えることができる。
【発明を実施するための最良の形態】
【００１３】
操作者の指でボタンが押されて、ディフューザーの下端面がカバーの上端面に
当接するまで、プランジャが下降することにより、スイッチが動作される。操作
者の指がボタンをはなれると、復帰用のコイルバネにより、プランジャは上方に
復帰する。そのプランジャの下方への移動時には、プランジャは丸ピンをレール
として、円滑に下方へガイドされるため、操作時のガサガサ、シブシブ感がなく
、しかも、ケースとプランジャとの間のギャップによるプランジャのガタつきが
抑えられる。
【実施例】
【００１４】
以下、本発明の実施の形態について詳細に説明する。
【００１５】
図１は本発明の実施例を示す押ボタンスイッチの分解斜視図、図２はその押ボ
タンスイッチの上面図、図３はその押ボタンスイッチの正面図、図４はその押ボ
タンスイッチの側面図、図５はその押ボタンスイッチの底面図、図６はその押ボ
タンスイッチのプランジャ、丸ピン、ケースの組み合わせ途中を示す要部斜視図
、図７は図２のＡ−Ａ′断面図、図８は図２のＢ−Ｂ′断面図、図９は図２のＣ
−Ｃ′断面図、図１０はプランジャ、丸ピン、ケースを組み合わせた状態を上方
から見た時の配置を示す図である。
【００１６】
これらの図において、１は四角形状のケース（以下、ケースという）、１Ａは
そのケース１の中央部に形成される四角形状筒部であり、この四角形状筒部１Ａ
には照光用発光ダイオード（図示なし）などが収容されるように構成されている
。また、１Ｂは後述するカバーの垂下片が嵌合される凹部、１Ｃはその凹部１Ｂ
に突設される突起である。
【００１７】
２はケース１の内壁面、２Ａはその内壁面２の縦方向に形成される丸ピン３が
遊嵌される半円形状の係合溝、４はプランジャ復帰用のコイルバネ、５はケース
１内に配置されるスイッチ素子、６は四角筒状のプランジャ、６Ａは後述するネ
ジリコイルバネが装着されるプランジャ６の凹部、７はプランジャ６の外壁面、
７Ａはその外壁面７の縦方向に形成される、半円形状の丸ピン３が遊嵌される係
合溝、８はケース１とプランジャ６間に架設され、スイッチのクリック感を奏す
るためのネジリコイルバネ、９はケース１の上端部に嵌合されるカバー、９Ａは
垂下片、９Ｂはその垂下片９Ａに形成される開口、１０はプランジャ６の上端部
に嵌合されるディフューザー、１１はディフューザーに嵌合されるボタンである
。
【００１８】
このように、ケース１とプランジャ６との間に丸ピン３を配置し、この丸ピン
３をレールとしてケース１に対するプランジャ６の移動をガイドさせ、滑らかな
操作感を生み出すようにしている。
【００１９】
以下、その具体的構成を詳細に説明する。
【００２０】
要部斜視図を示す図６、図２のＡ−Ａ′断面図である図７及び図２のＣ−Ｃ′
断面図である図９に示すように、四角形状のケース１の内壁面２に半円形状の丸
ピン３の係合溝２Ａが形成されており、一方、プランジャ６の外壁面７には丸ピ
ン３の係合溝７Ａが形成されている。したがって、プランジャ６が押し下げられ
ると、プランジャ６は丸ピン３をレールとしてケース１に対してガイドされるた
め、ガサガサ、シブシブ感がなく、さらにプランジャのガタつきも抑えられて、
滑らかな操作感を得ることができる。プランジャ６の凹部６Ａにはネジリコイル
バネ８（図１参照）が装着される。このネジリコイルバネ８はスイッチの操作時
にクリック機構を構成するものであり、このネジリコイルバネ８の有無によりク
リック感の有無の押ボタンスイッチを容易に得られるものである。
【００２１】
カバー９は対向する２辺に垂下片９Ａが設けられ、その垂下片９Ａの下端部近
傍には開口９Ｂが形成されており、カバー９がケース１に組み付けられると、そ
の開口９Ｂは、ケース１の対向する２辺に形成された凹部１Ｂに突設された突起
１Ｃに嵌合される。更に、プランジャ６の上部にはディフューザー１０と次いで
ボタン１１が組み付けられる。
【００２２】
また、操作者の指でボタン１１が押されて、ディフューザー１０の下端面がカ
バー９の上端面に当接するまでプランジャ６が下降することにより、スイッチが
動作される。操作者の指がボタン１１をはなれると、復帰用のコイルバネ４によ
りプランジャ６は上方に復帰する（図８参照）。そのプランジャ６の下方への移
動時には、プランジャ６は丸ピン３をレールとして、下方にガイドされ（図７及
び図９参照）、ガサガサ、シブシブ感がなく、しかも、ケース１とプランジャ６
との間のギャップによるプランジャのガタつきが抑えられる。
【００２３】
ここで、丸ピン３は係合溝２Ａと７Ａに遊嵌するとともに、丸ピン３の長さは
、ケース１の内壁の高さよりは若干短くすることにより、丸ピン３は長さ方向に
も遊びｇがあるように配置している。
【００２４】
このように、丸ピン３はケース１とプランジャ６との間に遊嵌するようにした
ので、丸ピン３は回転方向及び軸方向への動くことができ、それにより丸ピン３
は片減りせず、全面がバランスよく磨耗されることにより長寿命化を図ることが
できる。
【００２５】
また、図１０に示すように、四角形状のケース１とプランジャ６の四隅の近傍
に丸ピン３を配置するようにしたので、プランジャ６のバランスのとれた移動が
可能であり、滑らかな動作を促すことができる。なお、丸ピン３を四角形状のケ
ース１とプランジャ６の四隅に配置するようにしても、同様の効果を奏すること
ができる。
【００２６】
図１１は本発明の他の実施例を示す照光型の押ボタンスイッチの分解斜視図で
あり、この実施例では、ケース１の四角形状筒部１Ａ内にＬＥＤホルダー１２と
そのＬＥＤホルダー１２に保持されるＬＥＤ１３を配置している。その他は図１
〜図１０に示した押ボタンスイッチと同様であり、符号を同じにして示されてい
る。
【００２７】
図１２は本発明の更なる他の実施例を示す丸形の押ボタンスイッチのケースと
プランジャを示す要部斜視図、図１３はその水平方向の要部断面図である。
【００２８】
この図において、２１は丸型のケース、２２はそのケースの内壁面、２２Ａは
その内壁面２２の縦方向に形成される丸ピン２３の係合溝、２４は丸型のプラン
ジャ、２５は丸型のプランジャ２４の外壁面、２５Ａはその外壁面２５の縦方向
に形成される丸ピン２３の係合溝であり、この実施例では、係合溝２２Ａ，２５
Ａは円周方向に３等分された位置（０度、１２０度、２４０度の位置）に縦方向
に形成され、そこに丸ピン２３が縦方向に配置され、丸ピン２３の数は、合計３
本配置するようにしている。
【００２９】
図示しないが、これに代えて、係合溝を円周方向に４等分された位置（０度、
９０度、１８０度、２７０度の位置）の縦方向にそれぞれ形成し、丸ピンは合計
４本を配置するようにしてもよい。
【００３０】
なお、本発明は上記実施例に限定されるものではなく、本発明の趣旨に基づい
て種々の変形が可能であり、これらを本発明の範囲から排除するものではない。
【産業上の利用可能性】
【００３１】
本発明の押ボタンスイッチは、特に、頻繁に操作され、円滑かつ快適性が求め
られる自動復帰型の押ボタンスイッチに適している。
【図面の簡単な説明】
【００３２】
【図１】本発明の実施例を示す押ボタンスイッチの分解斜視図である。
【図２】本発明の実施例を示す押ボタンスイッチの上面図である。
【図３】本発明の実施例を示す押ボタンスイッチの正面図である。
【図４】本発明の実施例を示す押ボタンスイッチの側面図である。
【図５】本発明の実施例を示す押ボタンスイッチの底面図である。
【図６】本発明の実施例を示す押ボタンスイッチのプランジャ、丸ピン、ケースの組み合わせ途中を示す要部斜視図である。
【図７】図２のＡ−Ａ′断面図である。
【図８】図２のＢ−Ｂ′断面図である。
【図９】図２のＣ−Ｃ′断面図である。
【図１０】本発明の実施例を示す押ボタンスイッチのプランジャ、丸ピン、ケースを組み合わせた状態を上方から見た時の配置を示す図である。
【図１１】本発明の他の実施例を示す照光型の押ボタンスイッチの分解斜視図である。
【図１２】本発明の更なる他の実施例を示す丸形の押ボタンスイッチのケースとプランジャを示す要部斜視図である。
【図１３】本発明の更なる他の実施例を示す丸形の押ボタンスイッチのケースとプランジャを示す水平方向の要部断面図である。
【符号の説明】
【００３３】
１    四角形状のケース
１Ａ    四角形状筒部
１Ｂ    凹部
１Ｃ    突起
２    四角形状のケースの内壁面
２Ａ，７Ａ    半円形状の係合溝
３，２３      丸ピン
４    プランジャ復帰用のコイルバネ
５    ケース内に配置されるスイッチ素子
６    四角筒状のプランジャ
６Ａ    ネジリコイルバネが装着される凹部
７    プランジャの外壁面
８    ネジリコイルバネ
９    ケースの上端部に嵌合されるカバー
９Ａ    垂下片
９Ｂ    開口
１０    ディフューザー
１１    ボタン
１２    ＬＥＤホルダー
１３    ＬＥＤ
ｇ    遊び
２１    丸型のケース
２２    丸型のケースの内壁面
２２Ａ    丸型のケースの内壁面の係合溝
２４    丸型のプランジャ
２５    丸型のプランジャの外壁面
２５Ａ    丸型のプランジャの外壁面の係合溝
【図１】
2005093254.tif 000003
【図２】
2005093254.tif 000004
【図３】
2005093254.tif 000005
【図４】
2005093254.tif 000006
【図５】
2005093254.tif 000007
【図６】
2005093254.tif 000008
【図７】
2005093254.tif 000009
【図８】
2005093254.tif 000010
【図９】
2005093254.tif 000011
【図１０】
2005093254.tif 000012
【図１１】
2005093254.tif 000013
【図１２】
2005093254.tif 000014
【図１３】
2005093254.tif 000015